(57)【要約】【課題】現在の通信やコンピュータなどでは、数十から数百以上の電子回路を保有し、１つのシステム（パーソナルコンピュータや家電、携帯電話等）を製作、製造していた。また、情報処理に非常に多くのプログラムを必要とし開発に時間とコストが必要である。他方、多くの情報をやり取りする場合、広いデータ帯域が必要となり大規模な装置が必要となっている。【解決手段】数個の電子回路と数バイトないし数キロバイトの手順・手続き、記憶を１つのセットにし、それらを無線、有線を問わず自立的に連携させ、かつそれにより構成されたネットワームには中心が存在しない為、サーバやセンターが不要。自立化された１つのシステムが近くのシステムに問い合わせなどして自動連携させることにより、基板のないシステムや、非ノイマン型計算機、大規模な通信システムを必要としない遠距離双方向通信（人と人、システムと人、システムとシステム等）、センサー連携、アクセサリーへの実装、自動車、電車など移動体への実装等が実現出来る。小型回路かつ低消費電力の為、ウェアブルも可能。【選択図】図１
2004362193.tif 000002
【特許請求の範囲】
【請求項１】
自己組織化接続技術の最小基本システムは、接続部、理解部、思考部、実行部、記憶部、空間認識部を有する構成であって、１．接続部により外部（無線、有線、プログラム通信などの通信もしくは連携技術）もしくは自発的（タイマーや特定部の故障その他、外部入力がなくても事象が発生する）な入力により課題（計算やデータ入出力等）が発生し、２．その課題に対し理解部で記憶部の記憶と一致させる作業を行い、一致もしくはほぼ一致するなどの評価を行い、３．評価の結果により思考部で思考（課題解決の手順作成等）を行い、４．実行部で課題を解決し結果を接続部より外部ないし内部へ出力し、５．出力結果を再度評価し経験として記憶するシステム。
【請求項２】
請求項１の最小基本システム単体では、解決できない課題の場合には、１．空間認識部が接続部を経由して自動的に集め記憶された自己以外の複数の最小基本システム情報をもとに、単一もしくは複数の最小基本システムに問い合わせを行い、課題の解決を試みる、２．それでも解決しない場合は、評価の結果、解決に最も適している最小基本システムに解決を依頼し、その情報を受け取った最小基本システムはさらに別の最小基本システムに問い合わせを行い、遠方の最小基本システムとも連携し解決を目指すシステム。
【請求項３】
請求項１の最小基本システムは、距離に関係なく通信できる範囲で自動で複数の最小基本システムと自己組織化（たがいの能力を共有する）する事が可能で、１．自己もしくは自己組織化された全体で外部入力や自発的課題に答え、２．外部もしくは自発的な指示により自己組織化された一部もしくは全体の記憶や、各部のロジックを入れ替える事が可能、３．移動もしくは故障した最小基本システムは、自己組織化に組み込まれたり、離脱したりすることが可能、４．自己組織化の中で、理解・思考、出力した結果を自己もしくは全体としての経験として記憶し、次回から課題解決に対し経験が加味する解決が行え、５．自己の故障等何らかの理由で自己組織化から離脱する必要がある場合に備え、自己を自己組織化の中へ複製する事が可能なシステム。
【請求項４】
請求項１の最小基本システムは、自己または、他の最小基本システムと１．非連動（孤立）したり２．連動（集団）したり、３．もしくはその両方を行う事が可能なシステム
【発明の詳細な説明】
【０００１】
【発明の属する技術分野】
この発明は、人間社会もしくは、コンピュータシステムにおいて、自己で解決もしくは自己だけでは解決できない課題を全体で連携して解決する事に関する。
【０００２】
【従来の技術】
従来、何かの課題に遭遇した場合、コンピュータなどで計算やマイコンやセンサーで計測を行っていた。その際、当該コンピュータにプログラムされた以外の課題の場合解決出来ない、また該当のセンサーが壊れた場合などに計測不能になっていた。
また、自己の回路と他の回路では自己と他者の明確な区別があり、他者の場合、通信する仕組み（プログラム等）を構築しかつ、他のシステムとの密で論理的な設計が必要であった。必然的に回路が大きくなり消費電力も大きくなる。
【０００３】
【発明が解決しようとする課題】
本技術では、単体で解決できる課題は単体で解決し、解決できない場合は近隣もしくは遠方のシステムと連携しながら解決を目指す。これにより、基本構成の回路やシステムは非常に小型で演算能力も低い回路で実現でき、かつ消費電力の非常の少ないシステムが実現できる。
【０００４】
従来の携帯電話やコンピュータ、家電等、平面状の基盤が必要な為、形・デザインが基板により制約されてしまう。
【０００５】
従来のノイマン型コンピュータでは、自己で解決できない場合には、通信プログラムなど個別に作成し、また通信先も柔軟に変更することは難しい。通信先でも該当の問題が解決できるようにするためには、通信もとと密な連携をする設計が必要になり、大きなコストが必要である。
【０００６】
センサーなどを用いて計測などを行う場合は、１つのセンサーが故障した場合、計測が不能になる。冗長構成にしていても、基盤が故障すると計測が不能になっている。また例えば温度センサー故障の場合で隣のセンサーが湿度センサーであった場合、温度の計測は行えない。
【０００７】
通信分野においては、データを目的地に送受信する場合、大規模な無線基地が必要であったり、小規模な場合には距離に制約がある。かつ、通信の種類により大きな帯域が必要となり、その場合、それに見合った施設が必要となる。大きな帯域の施設を構築した場合、通常では数パーセントの利用しかないなどの問題点がある。通信経路に障害物もしくは障害があった場合でも迂回して通信を継続する事は高度な設計がされていないと困難である。
【０００８】
自動車などから走行しながら今現在の渋滞情報を取得する場合、５００メートル間隔、数分から十分近くの過去の情報しか取得できず、現場に到着して初めて渋滞していたり、渋滞していなかったりする。また現地の天気などは最小でも数キロメートルの情報しかえられない。現在の道の制限速度や制限事項は道の標識を確認するしかなく、見逃した場合、ドライバに不安を与える。
【０００９】
道路管制などでは、大まかな管制は行えるにしても、数台ベースの車の流れや人の流れなどを取得できない為、交通渋滞が発生したり、幹線道路で車が数分も通過していないのに、信号待ちをする必要がある。
【００１０】
携帯電話やＰＤＡ、小型コンピュータなどを所持しても、目的地の今現在の雨量等、０００８同様の情報を得る事は出来ない。
【００１１】
気温などの計測については、ＧＰＳなどと連携したり、あらかじめ場所を決めておいて気温と場所の連携を行う必要があり、室内、ビルなどＧＰＳが受信できない、または安価に測定をしたい、移動する物体に気温計を搭載できないなど課題がある。
【００１２】
災害時などでは、周辺の環境や通信施設が機能しない場合など、状況の確認が困難となる。
【００１３】
【課題を解決するための手段】
上記の課題を解決する為に、請求項１で記載した発明では、まず自己組織化を自動的に行い、自己の目標や役割に応じて動作し、自己では解決できない課題については、組織化した中から連携して解決する。これにより、回路やシステムは非常に小型で演算能力も低い回路が実現でき、かつ消費電力の少ないシステムが実現できる。
【００１４】
携帯電話やコンピュータ、家電等、各ボタンやセンサー部等に本発明を搭載する事により基板が必要ないため形・デザインが自由に設計、製作出来るようになる。
【００１５】
単体では複雑なプログラムなどが必要なく近隣・遠方のシステムも関係なく自己組織化可能で、自己もしくは全体として動作可能なので、従来のノイマン型にない柔軟なコンピュータシステムが構築可能である。
【００１６】
センサーなどを用いて計測などを行う場合でも、１つのセンサーが故障しても隣のセンサーが自動的にバックアップし計測を継続出来る。また例えば温度センサー故障の場合で隣のセンサーが湿度センサーであっても、役割と計算の仕組みを補い温度の計測を継続して行うことが可能となる。
【００１７】
通信分野においては、データを目的地に送受信する場合、近隣のシステムと連携してデータを転送し、さらに近隣の連携を繰り返す事により、通信設備や大きな帯域を必要とせず通信可能である。通信経路に障害物もしくは障害があった場合でも迂回して通信を継続する事が可能となる。
【００１８】
これらの違う分野の仕組みを連携させる事により、自動車などから走行しながら今現在５台信号待ちをしているとか、雨量を１ｍ単位で知る、現在走っている道の制限速度を取得、近くのお店の情報などを大掛かりな装置の必要なく知る事が可能となる。
【００１９】
道路管制などでは、信号機や工事などに本発明を搭載し、今現在の車等の状況や工事の状況により制限速度を変化させ、信号機の管制を制御して、交通渋滞のない管制が低コストで実現できる。また、渋滞のパターンを数台ベースで見る事が出来るので、道路設計にも役立つ。
【００２０】
アクセサリー等に装着する事により、携帯電話やＰＤＡ、小型コンピュータなどを所持しなくても、目的地の今現在の雨量等、同様の情報を得られる事が可能。
【００２１】
消費電力が小さい事から、自己発電可能な太陽電池等と組み合わせ、計測を行い空間認識回路により各場所を特定できるので、気温などを計測し各分野で活用する事が可能。
【００２２】
災害時など、通信が困難な場合なども、各機器や服に取り付けられた機器により、情報のやり取りや特定の人の探索、構造物の状況を、構造物の外や遠隔から調査する事が可能。
【００２３】
【発明の実施の形態】
この発明の実施の形態を、図１で説明する。入力１１（外的もしくは内的なトリガー）にて接続部が検知する。理解・思考・実行部が記憶部と連携し、入力に対応する答えを１２で出力する。出力した結果を１３により取得し、答えに対する結果を経験として記憶部に記憶する。空間認識部では、近隣もしくは遠方のシステムの情報を自動的に収集している。入力に対応する結果が自己では出力できない場合は、図２で近隣もしくは、遠方のシステムと連携して答えを依頼者に返す。図３では、いろいろな物体やプログラムとして実装する事により、それぞれが連携して、課題を解決できる。
【００２４】
【実施例】
上記、発明の実施の形態により、明らかなとおり。
【００２５】
【発明の効果】
このようにすれば、大規模な投資なく現状の課題が解決される。
【図面の簡単な説明】
【図１】この発明の基本構成を示す関連図である。
【図２】この発明の基本構成の連携を示す関連図である。
【図３】この発明の一実施形態を示す関連図である。
【符号の説明】
１  接続部    ２  理解・思考・実行部    ３  記憶部    ４  空間認識部
５  自己組織化システム    １１  外的もしくは内的なトリガー
１２  出力    １３  結果
【図１】
2004362193.tif 000003
【図２】
2004362193.tif 000004
【図３】
2004362193.tif 000005